Podtech/llm-jp-corpus-v4-ja_patent huggingface dataset:
(57)【要約】      （修正有）【課題】前・後輪に分け、反射付きプレート・風車・カバーを好みにより取り付け、走行時四方から認知させ、早期に認知される自転車の反射用具を提供する。【解決手段】プレート式はスポークにゴムを付け、プレート裏面の溝４にスポークをハメ込み、両面よりボルトを締める。風車式は羽車上下を一体にしてカゴに入れ、ツマミ穴に端々を通し、ツマミを締める。カバー式はカバーにホーク、フルーム、ステーにハメ込み、泥ヨケ用はカバーの両端を広げて、泥ヨケにハメ込むことを特徴とした。【選択図】図３
2011001045.tif 000002
【特許請求の範囲】
【請求項１】
反射板付き両面プレート表面（１）裏面（２）が有る。
裏面（２）内側にスポークを挿入する溝（３）を入れ溝に沿ってスポークをハメ込み、プレートが落ちない為両面からボルトを締め、スポークにボルト先端が強く締め付けられる。走行中雑音防止、滑り止めのために取り付け前にスポークにゴムパッキン（４）をする。本体の泥ヨケより巾を大きくして前後輪に取り付けると走行時どの方向からも認知出来るものとした。
【請求項２】
反射付き羽根４枚から成る風車上（５）風車下（６）で上下の継手に凹凸のハメ込みにして、上下の羽根の位置をずらす事により真上から見ると羽根８枚と成る。後輪の泥ヨケ外側に風車を中に取り込む。外カゴ（７）を付け固定させる為に泥ヨケステー位置に設置、他１ヶ所その上の泥ヨケに直接留具で取り付ける。
【請求項３】
ホーク、フレーム、ステーに取り付けるカバー（８）で中央部分に膨らみを持たせ、認知しやすいものとした。又後輪の泥ヨケ外側に泥ヨケ型のカバー（９）を取り付ける。
【発明の詳細な説明】
【発明の詳細な説明】
【技術分野】
【００１】  この発明は愛用する各自が前・後輪に分け、反射付きプレート・風車・カバーを好みにより取り付け、走行時四方から認知させるもの。
【背景技術】
【００２】  従来は泥ヨケ・フォークの取り付けで小さく、動きが無く目立たない。又ペダル・スポークに取り付けたものも有るが、小さく、いずれも三方から認知しやすいものは無い。
【発明が解決しようとする課題】
【００３】  本発明はその欠点をなくするため、これ迄より遠方より確認を容易に出来、どの方向からも認知出来る事を課題として研究を進めた。
【課題を解決するための手段】
【００４】  相手から身を守るためには、走行時の夜間は出来るだけ遠方より認知される事が安全で有り、しかも回転して動きが有り、プレート式・風車式は１０ｃｍ以上とし使用、カバー式はホーク、フレーム、ステーの３０ｃｍ以上長さの中間に膨らみの有る大きく見せる為の工夫が必要で有る事が分った。後輪泥ヨケ用もカバーに膨らみを使用する事で三方の認知が可能で、いずれも最上である事を発見した。
【発明を実施するための形態】
【００５】  本発明は以上のような構成であるから、プレート式はタイヤと中心の中間位に取り付け、回転と同時にプレートも回転して見やすくした。風車式は後輪泥ヨケに限定されるが、風を切って走る事に依り風に乗って回転し確認しやすくした。カバー式はタイヤ半径上部に位置するので場所的には過去のものより遠方から確認しやすい。
【発明の効果】
【００６】  本発明は以上のような構成だから、ペダルを踏み始めるとプレートは２本のスポークにつながれ、大きく回転してくれた。風車も速度により異なる回転で認知されやすい動きで有った。カバーは巾が無いが長さと膨らみで見やすく自転車本体に７ヶ所以上取り付け可能で有った。泥ヨケカバーは、直接後輪泥ヨケに被せるので発見されやすいもので有った。
【図面の簡単な説明】
【図１】自転車の部品名称図
【図２】プレート式正面図
【図３】プレート式背面図
【図４】プレート式底面図
【図５】プレート式左側面図
【図６】スポーク用ゴム図
【図７】風車式分解図
【図８】風車式正面図
【図９】風車式平面図
【図１０】風車式上・下継手部分凹凸図
【図１１】風車を入れた外カゴ正面図
【図１２】外カゴ平面図
【図１３】外カゴ右側面図
【図１４】外カゴ留具
【図１５】外カゴ後輪泥ヨケ取付図
【図１６】カバー式正面図
【図１７】カバー式斜視図
【図１８】カバー式泥ヨケ用斜視図
【図１９】カバー式泥ヨケ用正面図
【図１】
2011001045.tif 000003
【図２】
2011001045.tif 000004
【図３】
2011001045.tif 000005
【図４】
2011001045.tif 000006
【図５】
2011001045.tif 000007
【図６】
2011001045.tif 000008
【図７】
2011001045.tif 000009
【図８】
2011001045.tif 000010
【図９】
2011001045.tif 000011
【図１０】
2011001045.tif 000012
【図１１】
2011001045.tif 000013
【図１２】
2011001045.tif 000014
【図１３】
2011001045.tif 000015
【図１４】
2011001045.tif 000016
【図１５】
2011001045.tif 000017
【図１６】
2011001045.tif 000018
【図１７】
2011001045.tif 000019
【図１８】
2011001045.tif 000020
【図１９】
2011001045.tif 000021
【手続補正書】
【提出日】平成21年9月2日(2009.9.2)
【手続補正２】
【補正対象書類名】特許請求の範囲
【補正対象項目名】全文
【補正方法】変更
【補正の内容】
【特許請求の範囲】
【請求項１】
反射板付き両面プレート表面（７）裏面（８）が有る。裏面（８）にスポークを挿入する溝（１０）を作り、溝に沿ってスポークをハメ込み、プレートが落ちないために両面からボルトを締める。取り付け前にスポーク用ゴム（１３）をスポーク（６）に取り付ける。
【請求項２】
反射付き羽根４枚から成る風車上（１５）風車下（１６）で上下の継手部分に凹凸のハメ込みにして、上下羽根の位置をずらす事により真上から見ると羽根８枚と成り、より風車として回転の確認がしやすく成る。後輪の泥ヨケに風車を中に取り込み、外カゴ（２２）を付け泥ヨケに留具で固定する。
【請求項３】
ホーク（５）、フレーム（３）、ステー（１）（４）に取り付けるカバー（２８）で中央部に膨らみを持たせ、認知しやすいものとする。又後輪の泥ヨケに泥ヨケ用のカバー（２９）を取り付ける。
(57)【要約】      （修正有）【課題】既成自転車を利用されている方々より、重い、坂道では負荷過重、長乗りなどではペダル漕ぎ運動が苦痛との課題を解消し、緩和を図る。【解決手段】チェーンホイール（ギア）とチェーンで結ぶ後輪部の従車チェーンホイール間の位置にスピードアジャスター本体をフレームに取り付け設置を行ない、ペダル稼働を原車チェーンホイールとチェーンにて順次回転を送り、後輪部の従車チェーンホイールに達し、増幅化された回転が従車チェーンホイールに伝わる。【選択図】図１
2011001044.tif 000002
【特許請求の範囲】
【請求項１】
スピードアジャスターとは、自転車のペダル部の原車チェーンホイール（ギア）と後輪部の従車チェーンホイールとの中間の間隔中にスピードアジャスターを設置して、スピードとパワーアップの目的を達成する機構とスピードアジャスターを設置させた自転車。
【請求項２】
図１の図面では、スピードアジャスター本体には２列型のギアセット図が示されているが、１個のギアセットの場合もありで用途しだいで単体もあれば複数型もある。
【発明の詳細な説明】
【発明の詳細な説明】
【技術分野】
【０００１】  本機は既成自転車のペダル稼働部分に設置されている原車チェーンホイール（ギア）とチェーンで結ぶ後輪部の従車チェーンホイール間の位置にスピードアジャスター本体をフレームに取り付け設置を行ないペダル稼働を原車チェーンホイールとチェーンにて順次回転を送り後輪部の従車チェーンホイールに達し、増幅化された回転が従車チェーンホイールの直径を任意設定が可能と成る。故にスピード回転の折り合いを鑑み６ｃｍ半径に設定すれば回転力（トルク）が既成車の６倍に至るメカニズムである。
【背景技術】
【０００２】  世紀に渡る自転車の利用は、エコ社会が云々される昨今の状況下に於いても益々盛んであるが、今日に至るも尚、利用者から、重い、負荷過重である、長乗りにはペダル漕ぎが苦痛との事…では電動にしては…話すと、充電がね…との事、手軽に買えてパワーもスピードもアップされた物を…との要望である。又、一般の自転車は旧態依然状況である。
【発明が解決しようとする課題】
【０００３】  本発明は、エコ社会が云々されている昨今環境汚染に問題の無い乗り物として、自転車の復活は内外共に活発である。併し、利用者の多くから負荷過重が苦痛に成る…。斯様な問題を解決する為に図１に示すスピードアジャスターを開発に至った。
【課題を解決するための手段】
【０００４】  本発明は、図１に示すが如く既成自転車のペダル稼働部に設置された原車歯車部分と後輪部分に設置されている従車歯車間にスピードアジャスターを設置固定し原車歯車の回転をチェーンにて順次転送されて、回転が増幅されて、後輪部の従車歯車に達する。故に増幅化された回転状況を鑑み従車歯車の直径が回転の折り合いにて任意設定が決定されていく。此の従車歯車の半径で回転力（トルク）パワーアップが決定されるのである。故に半径を５ｃｍ、又６ｃｍ、に設定すればパワーアップが５倍又は６倍と成る。又、スピードも既成車より落ちる事が無い様に設定される。
【発明を実施するための形態】
【０００５】  スピードアジャスターにてパワーアップされた自転車は、坂道などが多い地形であっても苦痛の叫びが緩和される。
【発明の効果】
【０００６】  図１の図面にては、スピードアジャスター本体内のギアセット、ニードルケースが２個の複数型であるか、１個の単体型もありトルクアップが異なる。
【０００７】  スピードアジャスターは、図２にＢ−Ｂ´矢祖断面図として、１０のニードルケースに大小のチェーンホイール（歯車）の設置状態が詳細に図解され、原車チェーンから送られて来る回転は、ニードルケースに固定設置された小歯車に回転が転送されて１の主軸上でニードルケースギヤセツトがフリー回転に至り大歯車も同時回転と成り次々にチェーンにて回転が送られ増速されて行く機構である。故に、原車チェーンホイールと小歯車が既成自転車の原車部分と従車部分がチェーンにて転送されて行く機構が同様なので、増速されたスピードアジャスターの回転が増幅回転力（トルク）に利用できるのである。
【０００８】  本発明の一実施例は、スピードアジャスター本体に組み込まれた２個のニードルケースにセットされたチェーンホイールにて次々に増幅されてパワーアップの目的を達成するメカニズムである。
【０００９】  上述の如く、スピードアジャスターにてパワーアップが可能と成りペダル漕ぎ運動や負荷過重が解消緩和に至り資源消費文明社会がＣＯ２にて環境汚染と温暖化が進行し、エコ社会が叫ばれている昨今の状況下に於いては、付加価値化された自転車は唯一無公害の乗り物である。
【図面の簡単な説明】
【図１】  自転車の側面図と、ペダル稼働部分の原車よりスピードアジャスターを通過して後輪部分の従車までの側面図をＡ部とした拡大図。Ａ−Ａ′は側面図の中芯部分を矢視断面にした図。Ｂ−Ｂ′断面図。
【図２】  Ｂ−Ｂ′断面図の拡大詳細図と部品リスト。
【符号の説明】  １    主軸
２    チェーンホイール
３    チェーン
４    カバー
５    チェーン
６    チェーンホイール
７    ビス
８    スピードアジャスター本体
９    ニードル及びメタル
１０    ニードルケースギアセット
１１    本体底
１２    フレーム（形状の変更もある）
【図１】
2011001044.tif 000003
【図２】
2011001044.tif 000004
(57)【要約】      （修正有）【課題】種々の材料はプラス温度を通して熱処理が行われ、応力除去では、熱処理はプラス温度にて処理を行うため製品の変形は、避けられず成形されたが、スケートエッジ、刃物におけるスピードへの挑戦、金型などでの耐摩耗、耐焼付、耐カジリ性、ベアリング鋼の耐久性など、更なる延命策がなされた、マイナス温度でのクライオジェニックス処理方法を提供する。【解決手段】極・超クライオ処理により、スケートエッジ、刃物、ベアリングなどの鉄鋼及び非鉄金属の組織の微細化、滑性化と通電性を良好にし拡大改良する。【選択図】なし【特許請求の範囲】
【請求項１】
極クライオ処理による鉄鋼及び非鉄金属の組織の微細化、滑性化と通電性を良好にし拡大改良がなされる事です。
【請求項２】
超クライオ処理に於ても上記、鉄、非鉄金属と同様の結果が得られる。
【発明の詳細な説明】
【技術分野】
【０００１】スケートエッジ、刃物、銃身、砲身、金型、ベアリング、ミッションギャー、ゴルフヘッド、アイアンヘッドへの活用
【背景技術】
【０００２】従来の鉄鋼、非鉄金属の性格は、プラス温度で培われたものが多く、更なる工業化のためマイナス温度（含  超電導）を加える事で一段上の品質が得られる。【０００３】スケートエッジ、刃物に使用されて来た品質には一部にセラミック又はハイス鋼及び従来の熱処理に依る高級材が使用されてスピードへの挑戦、錆への防御が行われて来たのですが、これ等はいずれも今一の感は脱ぐえない現状である。【０００４】銃身、砲身の類いも過去よりの製造法に引きずられ大いなる改善が行はれず銃身、砲身に焼付の現象を起し標的に散発状態で的確な目的が果せては居りません。【０００５】金型、ミッションギャー、一般のギャー、シャフト類関連でも熱処理及び表面処理加工後に使用されて居ましたので進展が見られず耐摩耗、耐焼付、耐カジリ性を呼び戻す方法を更に考えるべきです。
【発明が解決しようとする課題】
【０００６】ゴルフアイアンヘッド部にメッキを施しセラミックを貼り、又熱処理材を取り付ける等だけで飛距離を延ばし遠くへ飛ばす事を考えて居たものです。
【０００７】ベアリング鋼についても材質を変え熱処理を考えて滑らかな動きが出来て耐久性も勿論、最善を尽くして今日が在る事は云うまでもないが、更なる延命策の段階を考えねばならない。
【発明の概要】
【発明が解決しようとする課題】
【０００８】上述された種々の材料はプラス温度を通して熱処理され改善されて来たものであり、これ以上の解決は材料を変えるしかないと思われたのですが、更なる加工法（極・超クライオ処理）を実施する事で一段上の解明がなされたのです。【０００９】本発明は、安易な価格と資源保護を目的とする人間最大の目標と成り得るものであります。
【課題を解決するための手段】
【００１０】本発明は、上記目標を達成するために先ずスケートエッジ・刃物類では応力除去と組織微細化を追求する事で滑らかな表面で摩擦エネルギーを減少せしめ、スピードを上昇させる事が出来る。又刃物についても切れ味の良さと寿命の倍加が出来得るものです。【００１１】銃身・砲身についても分子構造の微細化をする事で滑らかさが得られ連続の銃弾、砲弾の発射エネルギーも銃身・砲身に及ぼす抵抗が少なく、焼付も無くなり、更に弾のスピードアップにも継がるものです。これらの事から内部清掃も簡略化されるものです。【００１２】自動車のミッションギャー、他のギャー、シャフト、ベアリング類においても残留応力を６％〜８％程度に留めて過酷な使用の中で延命を倍加出来得るものです。
【発明の効果】
【００１３】上述の如く本発明は、極クライオ・超クライオ使用時点で機械類に耐摩性、耐焼付性効果が大いに得られると同時に非鉄金属についても特に音響関係に対して分子構造の緻密さによりストレートに音を聞く事が出来、音声が更に拡大され伝道効果が得られます。
(57)【要約】【課題】着物の着付けは本来、手結びによるもので、特別な仕掛けを用いずに着装するものである。しかし手結びによるお太鼓結びはお太鼓部分を作る工程が初心者や身体の柔軟性に欠ける者にとっては特に難しい。このような事情から本発明は特別な仕掛けを用いず着用者自身で容易にお太鼓結びが出来る帯結び補助具を提供する。【解決手段】本発明の帯結び補助具はお太鼓よりやや狭い横幅で帯板とほぼ同じ縦幅と強度を持つ板の左右の開口部に紐を通して使用する。【選択図】図１
2011001672.tif 000002
【特許請求の範囲】
【請求項１】
帯板程度の強度で左右に開口部を設けた扁平状の袋体（１）とし、その扁平状の袋体（１）内部に紐（２）を通し、その紐が取り外し可能な状態に備えていることを特徴とする帯結び補助具。
【発明の詳細な説明】
【技術分野】
【０００１】本発明は、お太鼓を結ぶ着物の着付けに関するものである。
【背景技術】
【０００２】帯結びに関する発明の多くは帯を切断し、縫製またはピンなどを用いてお太鼓部分を完成させたものを使用するという作り帯が知られている。
【先行技術文献１】
【０００３】
【特許文献１】特開２００８−２８０６２９号公報
【発明の概要】
【発明者が解決しようとする課題】
【０００４】着物の着付けは本来、手結びによるもので、特別な仕掛けを用いずに着装するものである。しかし手結びによるお太鼓結びはお太鼓部分を作る工程が初心者や身体の柔軟性に欠ける者にとっては特に難しい。
このような事情から本発明は特別な仕掛けを用いず着用者自身で容易にお太鼓結びが出来る帯結び補助具を提供することである。また帯は高価な品物であったり、親から親へ受け継がれるというような思い入れの深い品物である。本発明はこのような価値ある帯を切断、縫製などで価値を下げることなく容易に装着できることを提供する。
【課題を解決するための手段】
【０００５】本発明の帯結び補助具はお太鼓よりやや狭い横幅で帯板とほぼ同じ縦幅と強度を持つ板の左右の開放部に紐を通して使用する。
【発明の効果】
【０００６】本発明の帯結び補助具を使用することにより本来仮紐、または着用者自身の手で行っていた煩わしい作業を容易にかつ美しく仕上げることができ、また、その美しく仕上げた形を保持できるという優れた効果を奏する。
また、帯結び補助具を使用することにより、お太鼓を作る工程は着用者自身の背中で手探り状態で行うため帯のテをお太鼓内部へ通す工程における目印にもなる。
お太鼓結びをする上で初心者が一番難しいとされる工程を容易にすることにより着物着装への意欲が高まり、衰退を続ける日本の民族衣装保護へもつながる。
【図面の簡単な説明】
【０００７】
【図１】本発明の帯結び補助具を示した説明図である。
【図２】帯結び補助具の使用方法を示した説明図である。
【図３】帯結び補助具の使用方法を示した説明図である。
【図４】帯結び補助具の使用状態を示した側面図である。
【発明を実施するための形態】
【０００８】図１は本発明の帯結び補助具（Ａ）の構造を示した説明図である。この図１に示すように帯結び補助具（Ａ）は扁平状の袋体（１）の左右のあいている部分から紐を通す。本発明の帯結び補助具は以上のような構造である。
【０００９】図２、図３は本発明の帯結び補助具（Ａ）の使用方法を示した説明図である。お太鼓結びのタレを内側に折り曲げる工程において本発明の帯結び補助具（Ａ）をお太鼓の決め線（３）の位置に挿し込む。タレ（４）と本発明の帯結び補助具（Ａ）を一緒に持ち、タレ（４）で本発明の帯結び補助具を包み込むようにお太鼓内部へ折上げ、紐（２）を前でしっかりと仮結びする。お太鼓内部にテ（５）をお太鼓部分（６）と本発明の帯結び補助具（Ａ）の間に通し、帯締めを結びお太鼓を完成させる。お太鼓形成完了後、前で仮結びしていた紐（２）を引き抜く。
【００１０】図４は本発明の帯結び補助具（Ａ）使用時のお太鼓を横から見た図である。決め線（３）がずれることなく美しい仕上がりと保持が可能である。
【符号の説明】
【００１１】（Ａ）帯結び補助具
（１）袋体
（２）紐
（３）決め線
（４）タレ
（５）テ
（６）お太鼓
【図１】
2011001672.tif 000003
【図２】
2011001672.tif 000004
【図３】
2011001672.tif 000005
【図４】
2011001672.tif 000006
(57)【要約】【課題】  手の甲側の親指の付け根付近の皮がすりむけるのを確実に防止でき、さらにはバッティング技術の向上にも寄与するバッティンググローブの提供。【解決手段】  手の甲側の親指２の付け根付近の位置に、滑り性の良い滑り部３を設けた。【選択図】      図１
2011001648.tif 000002
【特許請求の範囲】
【請求項１】
手の甲側の親指の付け根付近の位置に、滑り性の良い滑り部が設けてあることを特徴とするバッティンググローブ。
【発明の詳細な説明】
【技術分野】
【０００１】
本発明は、野球やソフトボールでバットを振る際に使用するバッティンググローブに関する。
【背景技術】
【０００２】
野球やソフトボールでバットを振る際には、グリップ力を高めたりインパクト時の衝撃を緩和したりする目的で、手にバッティンググローブをはめることが多い。バッティンググローブは、１ヶ月も使用し続けると、図３に示すように、バットのグリップとの摩擦により、手のひら側の指の付け根付近９０や指の腹に当たる部分９１、小指の付け根の方の丘の部分９２が傷んで穴が開き、これらの箇所で手の皮がすりむける。さらに、バットスイング時には利き手の下面と反対の手の上面とが擦れるため、利き手と反対の手の甲側の親指の付け根付近９３にも穴が開きやすく、手の皮がすりむける。
手のひら側の手の皮は、素振りを繰り返すうちに鍛えられて強くなり、次第にすりむけなくなるが、手の甲側の親指の付け根付近の皮はそのように鍛えられることがないため、長年野球をやっている人でもよくすりむける。
またバッティンググローブは、スイング時にバットのグリップが滑らないようにゴム等の滑りにくい生地で形成されているが、バットを構えたときに左右の手の側面同士（利き手の下面側と反対の手の上面側）が密着して滑りにくい状態になるため、スイング全体の動作がスムーズでなくなり、特にフォロースルーのときに手首が返ろうとするのに抵抗になっていた。
【発明の概要】
【発明が解決しようとする課題】
【０００３】
本発明は以上に述べた実情に鑑み、手の甲側の親指の付け根付近の皮がすりむけるのを確実に防止でき、さらにはバッティング技術の向上にも寄与するバッティンググローブの提供を目的とする。
【課題を解決するための手段】
【０００４】
上記の課題を達成するために請求項１記載の発明によるバッティンググローブは、手の甲側の親指の付け根付近の位置に、滑り性の良い滑り部が設けてあることを特徴とする。
【発明の効果】
【０００５】
請求項１記載の発明によるバッティンググローブは、手の甲側の親指の付け根付近の位置に、滑り性の良い滑り部が設けてあることで、バットスイング時に利き手の下面と反対の手の上面との間の摩擦が小さくなるため、利き手と反対の手の甲側の親指の付け根付近の皮がすりむけるのを確実に防止できる。さらに、バットを握った状態で利き手の下面と反対の手の上面との間で滑り部の作用により軽く滑るため、スイング全体の流れがスムーズに行えるようになり、特にフォロースルーの時に手首がスムーズにうまく返るようになるため、バッティング技術の向上にも寄与する。
【図面の簡単な説明】
【０００６】
【図１】本発明のバッティンググローブの一実施形態を示す斜視図である。
【図２】（ａ）は本発明のバッティンググローブを嵌めてバットを構えた状態、（ｂ）はフォロースルーのときの状態を示す。
【図３】従来のバッティンググローブを約１ヶ月使用したときの傷み具合を示す。
【発明を実施するための形態】
【０００７】
以下、本発明の実施の形態を図面に基づいて説明する。図１は、本発明のバッティンググローブ（左手用）１Ｌを示している。本グローブ１Ｌは、基本的な構造は従来のものと同様であり、５本の指をそれぞれ入れる袋状の部分と手のひら側が滑りにくいゴム状の生地５で形成してあり、手の甲に当る部分は通気性の良いメッシュ状の生地６で形成してある。手首の周りには伸縮性を有するバンド７が設けてあり、バンド７は面ファスナーにより開閉できるようになっている。
【０００８】
本バッティンググローブ１Ｌは、手の甲側の親指２の付け根付近の位置に、滑り性の良い滑り部３を設けている。滑り部３は、テフロンテープなどの滑り性の良いテープを生地の表面に貼ったり、生地の表面に滑る樹脂をコーティングしたり、この部分の生地自体を摩擦抵抗の少ない滑る繊維で構成するなどして形成することができる。滑り部３は、親指２を入れる袋状になった部分の内側（人差し指側）の縁８から１０ｍｍ程度の間隔Ｓをあけて設けている。右手用のバッティンググローブ１Ｒは、左手用のバッティンググローブ１Ｌと左右対称である。
【０００９】
図２（ａ）は、右利きの人が本発明のバッティンググローブ１Ｒ,１Ｌを嵌めてバット９を構えた状態、図２（ｂ）はフォロースルーのときの状態を示している。バッティング動作においては、フォロースルーのときに利き手１０の下面と反対の手１１の上面とが擦れるが、本バッティンググローブ１Ｒ，１Ｌは、手の甲側の親指の付け根付近の位置に滑り部３が設けてあるため、このときの摩擦力を小さくすることができ、この部分の生地の傷みを防ぐと共に手の皮がすりむけるのを確実に防止できる。滑り部３は、親指２の内側の縁８から間隔Ｓをあけて設けてあるため、親指と人差し指との間でバット９をしっかり把持でき、グリップ力が低下することはない。
さらに、バット９を握った状態で利き手１０の下面と反対の手１１の上面との間で滑り部３の働きにより軽く滑るため、スイング全体の流れがスムーズに行えるようになり、特にフォロースルーの時に手首がスムーズにうまく返るようになるため、バッティング技術の向上にも寄与できる。
【００１０】
本発明は、以上に述べた実施形態に限定されない。滑り部は、利き手と反対の手に嵌めるグローブのみに設けてもよいが、左右両方のグローブに設けてあれば、右利きの人も左利きの人も使用できる。
【符号の説明】
【００１１】
１Ｒ，１Ｌ  バッティンググローブ
２  親指
３  滑り部
【図１】
2011001648.tif 000003
【図２】
2011001648.tif 000004
【図３】
2011001648.tif 000005
(57)【要約】【課題】ごみ箱内のごみを容易かつ効果的に押圧減容するためのウエイトを提供する。【解決手段】その上部に持ち手を下部に複数個の凸部を有する重量体よりなることを特徴とする。【選択図】図３
2011001192.tif 000002
【特許請求の範囲】
【請求項１】
その上部に持ち手を下部に複数個の凸部を有する重量体よりなることを特徴とするごみ圧縮用ウエイト。
【請求項２】
重量体を合成樹脂材にて被覆してなる請求項１記載のごみ圧縮用ウエイト。
【発明の詳細な説明】
【技術分野】
【０００１】  この発明は、ごみ箱内のごみを圧縮するためのウエイトに関する。
【背景技術】
【０００２】  従来より、ウエイトは種々の用途に用いられ、身近なものとしては漬け物石がある。
これは近年、セメント等の周囲を合成樹脂にて被覆した持ち手付きのものが多用されている。しかし、本発明にて示すようなごみ圧縮用のものは見あたらない。
【発明の開示】
【発明が解決しようとする課題】
【０００３】  日常生活にて生み出されるごみは、一般的にはごみ箱やごみ袋に投入され、ごみ収集日にごみ袋ごとゴミステーションに排出される。近年、特定ごみが有料化の傾向にあり、所定の料金を払って購入したごみ袋内にごみを詰めて廃棄するのであるが、ごみを圧縮減容できればごみ廃棄費用の節約になり、またごみ廃棄の頻度を減らすことができるが、ごみ圧縮の簡易な手段が見あたらないのが現状である。
本発明は以上に鑑み、簡単な仕組みにてごみを圧縮する場合に用いる、ごみ圧縮用のウエイトを提供するべく発明されたものである。
【課題を解決するための手段】
【０００４】  課題を解決する手段として本発明は以下の構成とした。
すなわち、その上部に持ち手を下部に複数個の凸部を有する重量体よりなることを特徴とするごみ圧縮用ウエイトである。なお、重量体を合成樹脂にて被覆して形成してもよい。
【発明の効果】
【０００５】  本発明によれば、簡易な仕組みによるごみ押圧減容を可能とするウエイトが得られ、ウエイト底に多数の凸部を形成することにてより能率よく減容することのできる有用なる物品を得ることができる。
【発明を実施するための最良の形態】
【０００６】  以下、本発明の実施形態について説明する。
図において、１はセメントによる略円柱状の重量体で、その上部には傾斜を有する凹部２が形成される。３は合成樹脂による被覆材で、重量体に覆設される所定厚の部分であり、上方の凹部間には持ち手４が架設される。５は上部環状凸部で、約４５度の傾斜面を有し、被覆材と一体に形成される。６は下部環状凸部で、上部環状凸部と同様の傾斜面を有するとともに、同心円状に多数個が被覆材と一体に形成される。
以上が本発明の一実施形態であり、使用時は図６のごとく、ごみを投入した有底筒形のごみ箱内に入れてごみ上面に置く。ごみはウエイトの重量にて押圧減容されるので、この減容されたごみをごみ袋に入れて効率的に廃棄することができる。本例ではウエイト底部に下部環状凸部を設けており、ごみに対する単位面積当たりの押圧力を増加させたものとなるので、より能率よくごみを減容することができる。なお、図３の仮想線にて示すように、下部環状凸部の中央部分を周囲に比べて突出させることにて、ごみの中央部分への押圧を強化することができる。また、本例では上部環状凸部を設けており、この凸部位置を適宜に選択することにて、図７のごとく本品を重ねて使用する場合にこの上部環状凸部に下部環状凸部間の凹部が重なって互いのウエイトの位置ずれを防止することができる。
図５は本発明の他例を示すもので、初例の下部環状凸部に代えて、小四角錐形状の凸部を多数個並設したものであり、初例と同様の効果が得られる。また、上部にも適宜形状の凸部を設けることにて、重ねて使用するときのウエイト相互の位置ずれが防止される。【０００７】  以上、本発明について記したが、本発明はごみ圧縮専用のウエイトであり、底部に多数の凸部を有するので、効率よくごみを押圧減容できるところにその特徴を有するものである。従来はこのような物品がなく、ごみ排出は減容せずにそのまま行うためにごみ排出頻度も高かったが、本発明の利用にて既述の種々の利点が得られるものとなり、特に有料ごみの場合に効果的である。なお、既述の例では重量体を被覆して形成したが、被覆せずに製作してもよい。下部の凸部は連設構造のため、圧縮効率に加えて押圧されるごみの移動も防ぐことができる。また、図７のごとくあらかじめごみ箱にごみ袋をセットしておけば、減容後のごみの取り出しが容易である。なお、既述の例は実施の一例であり、近似の他の構成としてもよい。以上のごとく、本発明にて能率よくごみを減容するための用具を得ることができる。
【図面の簡単な説明】
【０００８】
【図１】本発明の平面図
【図２】本発明の底面図
【図３】本発明の正面図
【図４】本発明の内部構造説明図
【図５】本発明の他例の底面図
【図６】本発明の使用状態説明図
【図７】本発明の使用状態説明図
【符号の説明】
【０００９】  １    重量体
２    凹部
３    被覆材
４    持ち手
５    上部環状凸部
６    下部環状凸部
７    四角錐状下部凸部
８    ごみ箱
９    ごみ
１０  ごみ袋
【図１】
2011001192.tif 000003
【図２】
2011001192.tif 000004
【図３】
2011001192.tif 000005
【図４】
2011001192.tif 000006
【図５】
2011001192.tif 000007
【図６】
2011001192.tif 000008
【図７】
2011001192.tif 000009
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
その上部に持ち手と上部環状凸部を、下部に同心円状の下部環状凸部を複数個適宜位置に設けることにて、複数個のウエイトを重ねた場合に、上部環状凸部と下部環状凸部間が相互にはまりこんで、互いのウエイトの位置決めがなされるよう構成したことを特徴とするごみ圧縮用ウエイト。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
その上部に持ち手と上部環状凸部を、下部に同心円状の下部環状凸部を複数個適宜位置に設けるとともに、下部環状凸部の中央部分を周囲に比べて突出させて設けることにて、複数個のウエイトを重ねた場合に、上部環状凸部と下部環状凸部間が相互にはまりこんで、互いのウエイトの位置決めがなされるとともに被押圧体への中央部分の優先押圧を可能とするよう構成したことを特徴とするごみ圧縮用ウエイト。
(57)【要約】      （修正有）【課題】外出先でも常に身の回りを清潔に保ちたいという思いから、ウェットティッシュを携帯しているにもかかわらず、ごみを捨てる場所が無いために、身の回りの汚れを拭き取り、不衛生となった使用済みウェットティッシュ等をきれいになった手で持ち歩かないように、直ちにごみ袋やごみケースへ使用済みのウェットティッシュ等を捨てることができるようにする。【解決手段】使用済みのウェットティッシュ等を入れるためのごみ袋やケース２を、携帯用のウェットティッシュ１等に、あらかじめ一体化させる。【選択図】図１
2011001122.tif 000002
【特許請求の範囲】
【請求項１】
携帯することができる、ウェットティッシュ、ウェットタオル及びウェットシート（除菌作用のあるものを含む）（以下「ウェットティッシュ等」と言う。）と、使用済みのウェットティッシュ等を入れるためのごみ袋やケースが、一体となったもの。
【請求項２】
ウェットティッシュ等を携帯するための袋やケースと、使用済みのウェットティッシュ等を入れるためのごみ袋やケースが、一体となったもの。
【発明の詳細な説明】
【技術分野】
【０００１】  この発明は、手や身の回りを清潔にするため、主に外出先で使用する衛生用品のひとつ、携帯用のウェットティッシュ等について、手や身の回りの汚れたところを拭き、不衛生となった使用済みのウェットティッシュ等を、手やバッグを汚さず、衛生的に家やごみ捨て場まで持ち運ぶことに関する。
【背景技術】
【０００２】  外出先で手軽に手や顔等の身体、テーブル、肘掛け等を清潔にすることができるよう、防湿性のある袋や、繰り返し開閉ができる取り出し口を用いた、携帯性に優れたウェットティッシュ等が販売されるようになり、外出時でも気軽にウェットティッシュ等を使用し、身の回りを衛生的に保つことができるようになった。
【特許文献１】
【特許文献２】
【非特許文献１】
【非特許文献２】
【発明の開示】
【発明が解決しようとする課題】
【０００３】  しかし近年、不審物問題等の影響により、公園や交通機関等の公的な場所では、ごみ捨て場を設置していないことがほとんどである。【０００４】  そのため、せっかく携帯用したウェットティッシュ等を使用し、手や身の回りをきれいにしても、捨てるところがないために、汚れを拭き取り、不衛生となった使用済みウェットティッシュ等を、手に持ったまま移動したり、バッグにしまわなければならない状況が多く見られる。【０００５】  外出先でも常に身の回りを清潔に保ちたいという思いから、ウェットティッシュを携帯しているにもかかわらず、ごみを捨てる場所が無いために、身の回りの汚れを拭き取り、不衛生となった使用済みウェットティッシュ等を、きれいになった手で持ち歩かなければならないという、許し難い事態が生じるのである。
【課題を解決するための手段】
【０００６】  そこで、使用済みのウェットティッシュ等を入れるためのごみ袋やケースを、携帯用のウェットティッシュ等に、あらかじめ一体化させる。
【発明の効果】
【０００７】  携帯用のウェットティッシュ等に、使用済みのウェットティッシュ等を入れるごみ入れを一体化させることにより、外出先等ごみ捨て場がない場所で、携帯したウェットティッシュ等を使用した場合でも、直ちにごみ袋やごみケースへ使用済みのウェットティッシュ等を捨てることができ、大変衛生的であるため、いつでも手軽に身の回りを清潔にするという、携帯用ウェットティッシュ等本来の目的を、さらに高めることができる。【０００８】  また、ごみのポイ捨て問題についても、ごみを捨てるという使用後の状況に対して、捨てる場所をあらかじめ用意することで、解決を図ることができる。
【発明を実施するための最良の形態】
【０００９】  以下、本発明のごみ入れ付き携帯用ウェットティッシュの形態について、図面を参照して説明する。【００１０】  携帯用ウェットティッシュ（１）の裏面に、ごみ入れ（２）が付いている。ごみ入れの口（３）は、汚れたウェットティッシュ等が外に出ず、尚かつ簡単に開閉できる方式とする。
【実施例】
【産業上の利用可能性】
【００１１】  新型インフルエンザを始めとする感染症の予防について、手を洗うことは大変有効な手段となるが、水が無いため手を洗うことができないという場面が多々発生する。そのような場合に、ウェットティッシュ等は大変有効であり、最近では除菌効果のあるウェットティッシュ等も販売されている。【００１２】  このように、身の回りを清潔にするまでの行為に対しては、十分な策が講じられているように見えるが、そこで出たごみの問題は解消されておらず、せっかく清潔になった手やバッグ等で、不衛生な使用済みウェットティッシュ等を持ち歩かなければならないため、真に衛生的であるとは言えない状況である。【００１３】  使用済みのものをすぐに捨てることができる状況を、あらかじめ商品の中に組み込むことで、いつでもどこでも、手や身の回りを清潔に保つという、携帯用ウェットティッシュ等本来の目的をさらに高めることができるため、産業への利用可能性は大変高いと考えられる。
【図面の簡単な説明】
【００１４】
【図１】本発明の形態を表す図面（表）
【図２】本発明の形態を表す図面（裏）
【符号の説明】１・・・携帯用ウェットティッシュ
２・・・ごみ入れ
３・・・ごみ入れの口
（ジッパー等により開閉が容易且つ汚れや湿気が漏れない構造のもの）
４・・・ウェットティッシュ等取出し口
【図１】
2011001122.tif 000003
【図２】
2011001122.tif 000004
(57)【要約】【課題】家庭用として安全性に優れた食料品浄化装置を提供する。【解決手段】食料品Ｍを投入した容器Ｃの蓋体３に排気配管８を接続して、屋外Ｇへ開口させて、余分なオゾンを屋外Ｇへ排出する。【選択図】図１
2011072287.tif 000002
【特許請求の範囲】
【請求項１】
食料品（Ｍ）を投入取出自在な容器本体（２）と、該容器本体（２）の上方開口部（１）に施蓋して密封乃至半密封状態とする蓋体（３）と、オゾン発生器（10）と、該オゾン発生器（10）からのオゾン気体を上記容器本体（２）内へ導く送気配管（４）と、該送気配管（４）の先端に付設される散気盤（５）と、上記蓋体（３）に一端（８Ａ）が連通連結されると共に他端（８Ｂ）が屋外（Ｇ）へ開口する排気配管（８）とを、具備したことを特徴とする食料品浄化装置。
【発明の詳細な説明】
【技術分野】
【０００１】
本発明は食料品をオゾンを用いて浄化する浄化装置に関する。
【背景技術】
【０００２】
従来から、主として一般家庭に於て、果物，野菜等の食料品を上方開口状容器の水に浸けて、オゾンを気散させて、添加物，農薬，微生物，菌等を除去する食料品浄化方法が使用されている。
しかしながら、家庭の台所内で余ったオゾンが所定濃度を越えると人体に害を与える虞がある。従来、食料品を多量に取扱う食品工場、市場、食品倉庫等に適用できる複雑な大型のオゾンによる浄化装置は公知である（例えば、特許文献１参照）。
【先行技術文献】
【特許文献】
【０００３】
【特許文献１】特開２００１−１７１３９号公報
【発明の概要】
【発明が解決しようとする課題】
【０００４】
上述のように、業務用の食料品浄化装置は、複雑かつ大型な構造であり、従来から一般家庭用として安全性が高く好適なものが無かった。
そこで、本発明は、小型で簡易な構成でありながらも、安全性が高く、取扱いしやすく、家庭用に好適な食料品浄化装置の提供を、目的とする。
【課題を解決するための手段】
【０００５】
そこで、本発明に係る食料品浄化装置は、食料品を投入取出自在な容器本体と、該容器本体の上方開口部に施蓋して密封乃至半密封状態とする蓋体と、オゾン発生器と、該オゾン発生器からのオゾン気体を上記容器本体内へ導く送気配管と、該送気配管の先端に付設される散気盤と、上記蓋体に一端が連通連結されると共に他端が屋外へ開口する排気配管とを、具備している。
【発明の効果】
【０００６】
本発明によれば、施蓋することによって密封状態乃至半密封状態となり、容器内のオゾンが家庭の（台所等の）部屋内に殆ど洩れ出すことがなく、屋外へ排出されて、人体へのオゾンの悪影響を防止できる。しかも、容器内へは、従来よりもオゾン濃度を高目として送り込むことが可能となり、食料品の浄化作用も短い時間にて能率良く行い得る。
【図面の簡単な説明】
【０００７】
【図１】本発明の実施の一形態を示す全体構成説明図である。
【図２】要部の一部破断斜視図である。
【発明を実施するための形態】
【０００８】
以下、図示の実施の形態に基づき本発明を詳説する。
図１及び図２に於て、Ｃは食料品Ｍを投入取出自在として収納する容器であり、この容器Ｃは、上方開口部１を有する有底型の容器本体２と、この上方開口部１に施蓋して密封状態乃至半密封状態とする蓋体３とを、有する。
【０００９】
10はオゾン発生器である。送気配管４によって、オゾン発生器10からのオゾン気体を、容器Ｃの容器本体２の底部へ導く。
５は散気盤であり、例えば、円環平盤型等として、かつ、上壁面に多数の散気小孔を有する。この散気盤５に、送気配管４の先端を連通連結する。この散気盤５を容器本体２の底壁に載置する。
６は挿入孔であり、容器本体２の上端縁部に貫設し、この挿入孔６に、オゾン発生器10にて発生したオゾンを送る送気配管４を挿入して、そこから下降して容器本体２の底壁の散気盤５に接続している。
【００１０】
水Ｗは、容器本体２の上方開口部１近くまで入れられ、その水面７よりも上位に、挿入孔６が配設される必要がある。
蓋体３は、図１，図３のように、下方開口縁３Ａが、段付部３Ｂをもって大径円筒型に形成され、段付部３Ｂが下方の容器本体２の上方開口端縁２Ａに当接して、施蓋されている。例えば、蓋体３の段付部３Ｂの下面にガスケット（パッキン）を付設して、密封状に施蓋可能とすることも望ましい。なお、ガスケット（パッキン）を省略して、半密封状に施蓋することも良い。
【００１１】
ところで、Ｈは、家庭の台所等の部屋（室）を示し、この部屋（室）Ｈの（例えば）壁や窓を介して、屋外Ｇへ開口する排気配管８を付設する。具体的には、蓋体３の頂部に接続短管11を突設し、この短管11に、ホース等の排気配管８の一端を接続して、蓋体３に、排気配管８の一端８Ａが連通連結され、他端８Ｂが屋外Ｇへ開口する。
なお、所望により、２点鎖線にて示した排気用ファン13を排気配管８の一部に付設するも良い。矢印Ｄにて示す方向に、スムースに余分なオゾンが排出されてゆく。
【００１２】
上記散気盤５の上面には、 0.3〜 0.4mmの微細孔を、2000〜8000個もの多数個を貫設して成り、直径50μｍ以下の微小気泡を、容器Ｃ内の水Ｗへ噴出して、オゾン水として、果物，野菜，米，豆腐等の食料品Ｍを浄化する。つまり、浄化とは、食料品Ｍに付着の添加物，農薬，微生物，菌等を除去することをいう。なお、図示省略するが食料品Ｍを一まとめに篭等の内容器に一旦入れてから、容器本体２へ投入するようにしても、自由である。
食料品Ｍの投入時、及び、取出時には、蓋体３を取外して、容易に投入作業・取出作業ができる利点がある。
【００１３】
また、オゾン処理中は、図１，図２に示すように、蓋体３を閉じて（施蓋して）行うので、オゾンガスは部屋（室）Ｈ内へは殆ど排出されず、人体（鼻の粘膜，眼等）を損傷させるような事故を確実に防止できる。
なお、本発明に於て、半密封状態とは、水面７から上方へ出てくるオゾンの全量の５％未満の微量が、容器Ｃから部屋（室）へ洩れ出る状態を言う。
【００１４】
以上述べたように、本発明は、食料品Ｍを投入取出自在な容器本体２と、該容器本体２の上方開口部１に施蓋して密封乃至半密封状態とする蓋体３と、オゾン発生器10と、該オゾン発生器10からのオゾン気体を上記容器本体２内へ導く送気配管４と、該送気配管４の先端に付設される散気盤５と、上記蓋体３に一端８Ａが連通連結されると共に他端８Ｂが屋外Ｇへ開口する排気配管８とを、具備しているので、蓋体３を開けば、容易に食料品Ｍを投入したり取出したりでき、さらに、オゾン処理中（使用中）は、オゾンが容器本体２と蓋体３から成る容器Ｃの外へ、全く又は殆ど、漏洩せず、人体への悪影響は、確実に防ぐことができ、しかも、装置が簡素であって、一般家庭に於て、使い易く、取扱い易い。
そして、排気配管８によって、確実に屋外Ｇへ余分なオゾンが排出されて、安全性が高い。
【符号の説明】
【００１５】
１  上方開口部
２  容器本体
３  蓋体
４  送気配管
５  散気盤
８  排気配管
８Ａ  一端
８Ｂ  他端
Ｃ  容器
Ｇ  屋外
Ｍ  食料品
【図１】
2011072287.tif 000003
【図２】
2011072287.tif 000004
(57)【要約】【課題】  水耕育苗設備の低コスト化および省力化ならびに簡便高性能化【解決手段】  防水シートで浅い四角プールを形作り、中に保水スポンジを入れて根止めシートで覆い、根止めシートの三辺ないし二辺の縁を防水シートに縫い付けた水耕育苗保水マットを作り、その上に播種済み育苗箱を載せる構造の水耕育苗設備を構築することで、ホースを通って保水スポンジに適宜蓄えられる水分や液肥が、播種済み育苗箱の下に密着する根止めシートを介して苗に適量供給され、根張りが良好で均質な苗を低コストで簡単に育てられるようにした。【選択図】図１
2011072299.tif 000002
【特許請求の範囲】
【請求項１】
防水シート（１）の上に縁周りが１５ｃｍくらい小さめの位置になるように根止めシート（３）を重ね、三辺ないし相対する二辺の縁を防水シート（１）に縫い付け、中に保水スポンジ（２）をはさみ込み、根止めシート（３）に播種済み育苗箱（４）の底が均等に接するようにして、箱の長辺２列×短辺６列＝１２個くらいの播種済み育苗箱（４）を載せ、さらに播種済み育苗箱（４）を継ぎ足し設置していく場合は、次なる防水シート（１）の一辺を保水スポンジ（２）の端で裏側に折りたたみ、保水スポンジ（２）どうしが接するように置いて播種済み育苗箱（４）を載せる一連の作業を繰り返した後、防水シート（１）の縁を垂直に持ち上げて、Ｌ字型枠（５）の底部を防水シート（１）と地面の間に差し込み、防水シート（１）の縁をＬ字型枠（５）の側面上部に掛けて外側に折り曲げ、クリップ（６）で留めた構造の水耕育苗保水マット。
【発明の詳細な説明】
【技術分野】
【０００１】  本発明は水耕育苗設備の低コスト化と省力化を実現するための技術分野に関するものであり、具体的には防水シートで浅い四角プールを形作り、中に保水スポンジを入れて根止めシートで覆い、根止めシートの三辺ないし二辺の縁を防水シートに縫い付け、その上に播種済み育苗箱を載せる構造の水耕育苗設備を構築することで、ホースを通って保水スポンジに適宜蓄えられる水分や液肥が、播種済み育苗箱の下に密着する根止めシートを介して苗に適量供給され、根張りが良好で均質な苗を低コストで簡単に育てることを可能にした技術分野に関するものである。
【背景技術】
【０００２】  従来、水稲などの育苗は、均平に耕起した土の上に根止めシートを敷き、その上に播種済みの育苗箱を並べてビニール保温トンネルを設置した構造であり、水やりはビニールをずらしてから散水器で撒いて行っていた。【０００３】  しかし散水作業は時間と労力を要し非効率なため、長尺マットを水耕培養水槽の水または培養液に浮かべ、長尺マット上面に水稲種子を播種し、水耕培養水槽内に水または培養液を循環し、長尺マットを貫通して水稲種子から出根させるとともに、長尺マット上面に出芽させる水稲苗の製造方法が考案されている（例えば、特許文献１参照）
【先行技術文献】
【特許文献】
【０００４】
【特許文献１】特開平１０−２４３７４６号  公報
【発明の概要】
【発明が解決しようとする課題】
【０００５】  従来の散水器による育苗方法は、苗全体に均一に水を散布する作業に多大な時間と労力を要し非効率であるし、代わりに考案された水耕培養水槽で長尺マット苗を育苗する方法は、設備が大がかりで高コストなため一般普及していない。【０００６】  本発明は、防水シートで浅い四角プールを形作り、中に保水スポンジを入れ根止めシートをかぶせて防水シートに固定し、その上に播種済み育苗箱を載せ、ホースを通って保水スポンジに適宜蓄えられる水分や液肥を、播種済み育苗箱の下に密着する根止めシートを介して苗に適量供給する構造と成し、根張りが良好で均質な苗を低コストで簡便に育苗できる高性能かつ省力化した水耕育苗設備にして提供することを目的とする。
【課題を解決するための手段】
【０００７】  上記課題を解決するために、防水シート１の上に縁周りが１５ｃｍくらい小さめの位置になるように根止めシート３を重ね、三辺ないし相対する二辺の縁を防水シート１に縫い付け、中に保水スポンジ２をはさみ込み、根止めシート３に播種済み育苗箱４の底が均等に接するようにして、箱の長辺２列×短辺６列＝１２個くらいの播種済み育苗箱４を載せる。さらに播種済み育苗箱４を継ぎ足し設置していく場合は、次なる防水シート１の一辺を保水スポンジ２の端で裏側に折りたたんで、保水スポンジ２どうしが接するように置いてから播種済み育苗箱４を載せる作業までを繰り返した後、防水シート１の縁を垂直に持ち上げＬ字型枠５の底部を防水シート１と地面の間に差し込み、防水シート１の縁をＬ字型枠５の側面上部に掛けて外側に折り曲げ、クリップ６で留めて水をせきとめられるようにする。なお、先ほど播種済み育苗箱４を載せる際に空の育苗箱を所々に同じように載せておき、そこにホース７の口を固定して水を保水スポンジ２に規定量灌水し、ビニール保温トンネル８を組み立てて水耕育苗設備を構築する。
【発明の効果】
【０００８】  上記手段により、保温トンネルのビニールを散水のたびに開放して長時間水やりをした後、またビニールを元どおりに直すという無駄な作業が無くなる。【０００９】  保温トンネルのビニールを開放しないで灌水できるので、トンネル内の急激な温度変化が無く、病害の発生を防止でき、苗が健全に育つ。【００１０】  保水スポンジ２のクッション作用で、根止めシート３に播種済み育苗箱４の底が密着するため、根が育苗箱の底穴から出根せず育苗後に箱から取り出しやすくなるとともに、根の先がちぎれないので移植後の活着が良くなる。【００１１】  給水配管系に水位センサーやタイマーを組み込むことで自動灌水システムや自動液肥供給システムにすることができ、より均質な育苗管理が可能となる。
【図面の簡単な説明】
【００１２】
【図１】本発明によって水稲を水耕育苗した実施例を示す構造図
【発明を実施するための形態】
【００１３】  図１において水稲を水耕育苗した実施形態を説明すると、１６０ｃｍ×２３０ｃｍの防水シート１の上に縁周りが１５ｃｍくらい小さめの位置になるように根止めシート３を重ね、短い一辺を含む三辺ないし相対する長い二辺の縁を防水シート１に縫い付けた。そして保水スポンジ２を防水シート１と根止めシート３の間に、縫ってない部分から挿入して、水耕育苗保水マットを作成した。つぎに、ほぼ水平に耕した土の上に上記構造の水耕育苗保水マットを置き、根止めシート３に播種済み育苗箱４の底が均等に接するようにして、箱の長辺２列×短辺６列＝１２個くらいの播種済み育苗箱４を載せ、さらに播種済み育苗箱４を継ぎ足し設置していく場合は、次なる防水シート１の一辺を保水スポンジ２の端で裏側に折りたたみ、保水スポンジ２どうしが接するように置いてから播種済み育苗箱４を載せる作業を繰り返した。そして防水シート１の縁を垂直に持ち上げてＬ字型枠５を防水シート１と地面の間に差し込み、防水シート１の縁を外側に折り曲げてクリップ６で留めた。また、先ほど播種済み育苗箱４を載せる時点で空の育苗箱を水耕育苗保水マットの所々に配置しておき、そこにホース７の口を固定して、水を保水スポンジ２に規定量灌水し、ビニール保温トンネル８を組み立て、水耕育苗保水システムを構築した。
【符号の説明】
【００１４】１  防水シート
２  保水スポンジ
３  根止めシート
４  育苗箱
５  Ｌ字型枠
６  クリップ
７  ホース
８  ビニール保温トンネル
【図１】
2011072299.tif 000003
(57)【要約】【課題】本発明の目的は、臍の内部の水を外部に排水をし、水の節約と布巾による作業の短縮を計る。【解決手段】食器の臍の周囲に複数の排水口をあけ、臍の内側の排水口と排水口の間に三角形の水誘導板を設置し水を排水口に誘導する。【選択図】図１
2011072449.tif 000002
【特許請求の範囲】
【請求項１】
椀、碗、丼、湯呑み等の底に臍の有る食器類、臍の周囲に複数の排水口の穴をあけ、臍の内部の水を外部に排水させる。臍の内部の排水口と排水口の間の穴が無い部分に三角形の水誘導板の頂点を内側にむけ複数設置し、臍の内部の水を左右に分け排水口に水を誘導させる、水はけ食器。
【請求項２】
椀、碗、丼、湯呑み等の底に臍の有る食器類、臍の周囲に排水口の穴の数を多くし、穴の無い面積を少なくする、なお、水誘導板の設置は無用、水はけ食器。
【発明の詳細な説明】
【技術分野】
【０００１】
本発明は、食器の臍に溜まった水を排水する装置に関するものである。
【背景技術】
【０００２】
大家族及び飲食業においては大量の食器を洗った後に食器の臍の水を布巾で拭き取る作業は大変な重労働であり、水道水で食器を洗っている際に臍側を下向きにして中の水を排水する時間がかかり余分に水道代が増大する。
【０００３】
本発明は、水道水で食器を洗っている際に臍側を下向きにして中の水を排水する必要が無い、布巾の作業が短縮される、水の節約が可能なので経済的である。
【発明の概要】
【発明が解決しようとする課題】
【０００４】
本発明は、上記の問題点に鑑み、食器に溜まった水を自動的に排水させて作業の短縮と水の節約を提供せんとするものである。
【課題を解決するための手段】
【０００５】
食器の臍の周囲に複数の排水口をあけ、臍の内側の排水口と排水口の間に三角形の水誘導板を設置し水を排水口に誘導する。
【発明の効果】
【０００６】
水の節約と作業の短縮。
【発明を実施するための最良の形態】
【０００７】
構造が簡単なのでコストを抑えられるので実施に有利である。
【実施例１】
【０００８】
食器を洗い入れ物に食器を水平に伏せると水が放射状に移動し、更に、水が三角形の水誘導板に当たり左右に分かれ排水口より外部に排水される、食器の上に食器を斜めに重ねると傾いた方向に水が移動し、更に、水が三角形の水誘導板に当たり左右に分かれ排水口より外部に排水される、すなわち、臍の内部の水を除去する。
【産業上の利用可能性】
【０００９】
構造が簡単なので実施に有利である、また、従来の食器に排水口と水誘導板の付加が容易なので中小企業むけの利用可能性は抜群である。
【図面の簡単な説明】
【００１０】
【図１】本発明の食器を伏せた状態を示した正面図である。
【図２】本発明の食器を伏せた状態を示した平面図である。
【符号の説明】
【００１１】
１・・食器
２・・臍
３・・排水口
４・・水誘導板                            
【図１】
2011072449.tif 000003
【図２】
2011072449.tif 000004